(57)【特許請求の範囲】
【請求項１】
屈曲性壁を有し、液体製品(2)、特に液状の食品を充填する容器であって、屈曲性壁(3)の未開放部分(14)の内側に内部接続器具(4)が設けられ、内部接続器具(4)と外部接続器具(5)とが相互に接続可能であり、そして屈曲性壁(3)の未開放部分(14)に孔を開けて容器(1)から液体製品(2)を取り出せるよう、外部接続器具(5)に孔開け手段(6)が設けられた容器において、
外部及び内部接続器具(5、4)が、屈曲性壁(3)の未開放部分(14)を挟んで相互に接続可能であり、
該相互接続が行われた後における外部及び内部接続器具(5、4)が、外部接続器具(5)に関し軸方向に延びる中心線(CL)周りに互いに回転可能になっており、
外部接続器具(5)の孔開け手段(6)が、外部及び内部接続器具(5、4)の相互接続が行われた後に外部及び内部接続器具(5、4)を互いに回転させることにより屈曲性壁(3)の未開放部分(14)に孔を開けるべく設けられていることを特徴とする容器。
【請求項２】
内部接続器具(4)が開口(9)を有する内部接続部材(8)を含み、外部接続器具(5)が開口(9)に挿入可能な外部接続部材(13)を含んでおり、外部接続部材(13)は開口(9)に挿入される過程で、屈曲性壁(3)に孔を開けることなく未開放部分(14)を折り曲げて開口(9)に押し込み、開口(9)に押し込まれた屈曲性壁(3)の折り曲げ部分(14)を挟んで内部接続器具(4)と外部接続器具(5)とが接続され、外部接続部材(13)が軸方向の接続方向(KR)に対して半径方向に突出するはめ込み部(15)を有し、外部接続部材(13)が接続位置(KL)まで接続方向(KR)に移動するとき、はめ込み部(15)が内部接続部材(8)に侵入し、さらに外部接続部材(13)が半径方向に突出する支持部(16)を有し、はめ込み部(15)と屈曲性壁(3)の折り曲げ部分(14)と共に外部接続部材(13)を内部接続部材(8)に対する接続位置(KL)で保持し、屈曲性壁(3)に孔(7)を開けるために、内部接続部材(8)に対して外部接続部材(13)を回転可能に接続されている請求項１に記載の容器。
【請求項３】
内部接続器具(4)の内部接続部材(8)が第１環状部材(8a)を有し、さらに内部接続器具(4)が第２環状部材(8b)と、第１及び第２環状部材(8a、8b)を連結する複数の連結部材(11)を有し、複数の連結部材(11)の間に開口(12)が形成されている請求項２記載の容器。
【請求項４】
孔開け手段(6)が外部接続器具(5)の端面(17)から軸方向に突出しており、外部接続器具(5)を軸方向の接続方向(KR)に移動させて内部接続器具(4)に接続するとき、孔開け手段(6)が屈曲性壁(3)の未開放部分(14)に、孔を開けることなくポケット(18)を形成し、ポケット(18)が、屈曲性壁(3)の折り曲げ部分(14)が外部接続器具(5)の端面(17)に沿って半径方向に延びる部分に対して軸方向に突出し、そして外部接続部材(5)を内部接続部材(4)に対して回転させて、孔開け手段(6)が、ポケット(18)の側面を切り開き、屈曲性壁(3)の端面(17)に沿って延びた部分(19)に孔開けを行う請求項１〜３のいずれかに記載の容器。
【請求項５】
孔開け手段(6)が、ポケット(18)の側面に向けた少なくとも１つの刃(20及び／又は21)及び／又は刃先（22及び／又は23)を有し、刃(20及び／又は21)及び／又は刃先（22及び／又は23)が、ポケット(18)の１つの側面を切り開き、屈曲性壁(3)の半径方向の延びる部分(19)を切削する請求項４記載の容器。
【請求項６】
屈曲性壁(3)が、内部及び外部接続部材(4、5)の接続の際、外部接続器具(5)によって内部接続器具(4)の開口(9)に押し込まれて内側への折れ曲がる部分(14)に孔が開かない程度の弾力性を有している請求項１〜５のいずれかに記載の容器。
【請求項７】
外部接続器具(5)が屈曲性壁(3)の未開放部分に孔を開けることなく内部接続器具(4)に接続され、両接続器具(4、5)を接続した後、外部接続器具(5)を内部接続器具(4)に対して回転させて屈曲性壁(3)に孔を開ける請求項１〜６のいずれかに記載の容器。
【請求項８】
両接続器具(4、5)を接続した後、外部接続器具(5)が屈曲性壁(3)を介して内部接続器具(4)を保持する請求項１〜７のいずれかに記載の容器。
【請求項９】
内部接続器具(4)に、屈曲性壁(3)の内側に取り付けるための第１環状部材(8a)が設けられている請求項１〜７のいずれかに記載の容器。
【請求項１０】
屈曲性壁を有し、液体製品(2)、特に液状の食品を充填し、内部接続器具(4)が屈曲性壁(3)の未開放部分(14)の内側で保持され、内部接続器具(4)と外部接続器具(5)が接続可能であり、容器(1)から液体製品(2)を取り出せるよう、屈曲性壁(3)の未開放部分(14)に孔(7)を開けるための孔開け手段(6)が外部接続器具(5)に設けられている容器の製造方法において、
外部及び内部接続器具(5、4)を、その間にある屈曲性壁(3)に孔を開けることなく相互に接続し、
該相互接続が行われた後に外部及び内部接続器具(5、4)を、外部接続器具(5)に関し軸方向に延びる中心線(CL)周りに互いに回転させ、外部接続器具(5)の孔開け手段(6)によって、屈曲性壁(3)の未開放部分(14)に孔開けを行うことを特徴とする容器の製造方法。
【請求項１１】
前記外部接続器具(5)を、内部接続器具(4)に対して軸方向の接続方向(KR)に移動させて内部接続器具(4)に接続し、該接続後に、孔開け手段(6)で屈曲性壁(3)に孔(7)が形成されるように外部接続器具(5)を内部接続器具(4)に対して回転させる請求項１０記載の方法。
【請求項１２】
外部接続器具(5)を軸方向の接続方向(KR)に差し込み、外部接続器具が内部接続器具に対して回転可能なように外部接続器具を屈曲性壁(3)の折り曲げ部分(14)を介して内部接続器具(4)上に係止させる請求項１０又は１１に記載の方法。
【請求項１３】
屈曲性壁を有し、液体製品(2)、特に液状の食品を充填した容器を接続する接続器具であって、内部接続器具(4)が屈曲性壁(3)の未開放部分(14)の内側に設けられ、内部接続器具(4)と外部接続器具(5)が相互に接続可能であり、そして屈曲性壁(3)の未開放部分(14)に孔(7)を開けて、容器(1)から液体製品(2)を取り出し可能とするための孔開け手段(6)が外部接続器具(5)に設けられている容器の接続器具において、
外部及び内部接続器具(5、4)が、その間にある屈曲性壁(3)の未開放部分(14)を挟んで接続可能であり、
該相互接続が行われた後における外部及び内部接続器具(5、4)が、外部接続器具(5)に関し軸方向に延びる中心線(CL)周りに互いに回転可能になっており、
外部接続器具(5)の孔開け手段(6)が、外部及び内部接続器具(5、4)の相互接続が行われた後に外部及び内部接続器具(5、4)を互いに回転させることにより屈曲性壁(3)の未開放部分(14)に孔を開けるべく設けられている接続器具。
【請求項１４】
内部接続器具(4)が、開口(9)を有する内部接続部材(8)を含み、外部接続器具(5)が、開口(9)に挿入可能な外部接続部材(13)を含み、外部接続部材(13)を開口(9)に挿入する際、屈曲性壁(3)の未解放部分(14)に孔を開けることなく開口(9)に押し込み、外部接続部材(13)と内部接続部材(8)とが、開口(9)に押し込まれた屈曲性壁(3)の部分(14)を挟んで相互に接続可能であり、外部接続部材(13)が軸方向の接続方向(KR)に対して半径方向に突出したはめ込み部分(15)を有し、外部接続部材(13)が内部接続部材(8)との接続位置(KL)に向かって移動するとき、はめ込み部分(15)が内部接続部材(8)に差し込まれ、外部接続部材(13)が半径方向に突出した支持部(16)を有し、支持部(16)が、はめ込み部分(15)と屈曲性壁(3)の折り曲げ部分(14)と共に、外部接続部材(13)を内部接続部材(8)に対する接続位置(KL)で保持し、屈曲性壁(3)に孔を開けるために外部接続部材(13)を内部接続部材(8)に対して回転可能とした請求項１３記載の接続器具。
【請求項１５】
孔開け手段(6)が、外部接続器具(5)の端面(17)から軸方向に突出し、外部接続器具(5)を軸方向の接続方向(KR)に移動させて内部接続器具(4)に接続するとき、屈曲性壁(3)の折れ曲がり部分(14)に孔を開けることなく、押し込み部分(14)にポケット(18)を形成し、ポケット(18)が、屈曲性壁(3)の押し込み部分(14)の外部接続器具(19)の端面(17)に沿って半径方向に拡がる部分から軸方向に突出し、内部接続器具(4)に対して外部接続器具(5)を回転させたとき、孔開け手段(6)が、屈曲性壁(3)のポケット(18)の側面を切り開き、端面(17)に沿って半径方向に拡がる屈曲性壁(3)の部分(19)に孔(7)を開ける請求項１３又は１４に記載の接続器具。
【発明の詳細な説明】
【０００１】
【発明の属する技術分野】
本発明は、屈曲性壁を有し、液体製品、特に液状の食品を充填する容器であって、孔開け前の屈曲性壁の内側に内部接続器具が設けられ、内部接続器具と外部接続器具が相互に接続可能であり、そして外部接続器具に、屈曲性壁に孔を開けて液体製品取り出すための孔開け手段が設けられている容器とその製造方法及び容器の接続器具に関する。
【０００２】
【従来の技術及び発明が解決しようとする課題】
屈曲性壁を有する容器と、内部及び外部接続器具が米国特許第４，６０３，７９３号に開示されている。この容器では、接続器具の接続と同時に屈曲性壁に孔開けが行われる。通常これで機能を果たすが、屈曲性壁の材料によっては接続／孔開け段階で液漏れが発生する。
【０００３】
本発明の課題は、孔開けに改良を加えて孔開け段階で液漏れのない容器を提供することである。
【０００４】
【課題を解決するための手段】
上記の課題は、請求項１の特徴部分に記載した事項によって達成することができる。即ち、外部接続器具と内部接続器具とが、屈曲性壁の未開放部分を挟んで相互に接続可能であり、両接続器具を接続した後、屈曲性壁の未開放部分に孔を開けるための開け手段を外部接続器具に設けておくことによって上記課題を達成することができる。
【０００５】
内部接続器具と外部接続器具とを接続する際、屈曲性壁に孔を開けないため、容器内の液体製品の流出が全く生じない。屈曲性壁の孔開けは、液漏れを封止する状態で両接続器具を接続した後、簡単で効果的な方法で行われる。
【０００６】
【発明の実施の形態】
以下、添付図面を参照しながら本発明の実施形態を詳細に説明する。
【０００７】
各図において、液体製品２、特に粘性の低い飲み物から粘性の高いケチャップ、マスタード、ソース等の液状食品を収容する容器１が示されている。容器１は、合成樹脂材料の屈曲性壁３で構成された袋状である。容器１内には、屈曲性壁３を挟んで外部接続器具５に接続可能な内部接続器具４が設けられている。
【０００８】
外部接続器具５には、屈曲性壁３に孔７を開けるための孔開け手段６が設けられ、容器１内の液体製品２は、内部接続器具４、孔７及び外部接続器具５を通して取り出される。
【０００９】
孔開け手段６は、内部及び外部接続器具４、５の接続時に屈曲性壁３に孔７を開けるものではなく、接続終了後の孔開け段階において孔７を開けるものである。
【００１０】
内部接続器具４は、開口９を有する第１環状部材８ａの形態の内部接続部材８を有している。第１環状部材８ａは屈曲性壁３の内側又は内側に近接した位置に取り付けられ、内部接続器具４は、また第２環状部材８ｂを有しており、これらの環状部材８ａ、８ｂは２つ又はそれ以上の連結部材１１によって連結され、連結部材１１の間に中間開口１２を形成している。
【００１１】
外部接続器具５は、内部接続部材８の開口９に接続方向KRから挿入される外部接続部材１３を有しており、外部接続部材１３は、屈曲性壁３に孔を開けることなく、屈曲性壁３の未開放部分14を開口９に押し込む。そのため屈曲性壁３には、開口９に挿入される屈曲性壁(3)の未開放部分１４が引き延ばされ折れ曲がっても孔が開かない弾力性が要求される。
【００１２】
外部接続部材１３には、その軸方向の中心線CLに対して半径方向に突出する環状のはまり込み部分１５が設けられている。また外部接続部材１３には、接続方向KRの中心線CLに対して半径方向に突出した支持部１６が設けられている。
【００１３】
外部接続部材１３は、はまり込み部分１５が屈曲性壁３の折れ曲がり部分１４を挟んで内部接続器具８の第１環状部材８ａの開口９に差し込まれ、屈曲性壁３を挟んで支持部１６が第１環状部材８ａに支持された位置で内部接続部材８に接続される。はまり込み部分１５と支持部１６とによって、外部接続部材１３の内部接続部材８に対する軸方向の動きが阻止されるが、外部接続部材１３は内部接続部材８の中心線CL周りで回転可能である。
【００１４】
孔開け手段６は、外部接続部材１３の端面１７から中心線CLに対して軸方向突出しており、外部接続部材１３を開口９に挿入するとき屈曲性壁３の折れ曲がり部分１４に孔を開けることなくポケット１８を形成する。このポケット１８は、屈曲性壁３の折れ込み部分１４が端面１７に沿って半径方向に拡がる部分１９から軸方向に突出している。
【００１５】
外部接続部材１３が、内部接続部材８に対して、中心線CLの周りでいずれかの方向に回転すると、孔開け手段６が、まずポケット１８の側面を切り開き、ポケット１８の近傍の屈曲性壁３の半径方向に拡がる部分１９に孔７を開ける。
【００１６】
孔開けを促進するため、孔開け手段６には、ポケット１８の側面方向に向いた、少なくとも１つの刃２０及び／又は２１（図４参照）又は刃先２２及び／又は２３（図５参照）が形成されている。
【００１７】
孔開け手段６は、互いに隣接する位置、又は端面１７の周囲に沿って湾曲した複数の位置（図６参照）に設けることができる。
【００１８】
孔７を開けた後、容器１から液体製品２を取り出せるよう、外部接続部材１３は貫流路２４を有し、貫流路２４に接続するホース２６の接続部２５が設けられ、容器１内の液体製品２は孔７から貫流路２４に排出される。
【００１９】
内部接続器具４に接続された外部接続器具５の回転を容易にするため、外部接続器具５に１つ又は複数の半径方向に拡がるフランジ２７が設けられている。
【００２０】
内部接続機器４は屈曲性壁３の内側に固定されていても、外部接続器具５で保持されていてもよい。後者の場合は、接続機器４、５が屈曲性壁３を挟むクランプとなるため、その他の手段によって内部接続器具４を屈曲性壁３に固定する必要はない。
【００２１】
本発明は、上記の形態に限定されることなく、特許請求の範囲の記載範囲内での変更が可能である。接続器具４、５の接続部材８、３は、孔開け手段６と共に上記以外に各種の変形が考えられる。
【図面の簡単な説明】
【図１】  本発明の容器の構成部材の斜視図である。
【図２】  図１の容器が開く前の接続部分の断面図である。
【図３】  図１の容器を開いた後の接続部分の断面図である。
【図４】  図１の容器の孔開け手段の１つの形態を示す。
【図５】  図１の容器の孔開け手段の別の形態を示す。
【図６】  図１の容器の孔開け手段のさらに別の形態を示す。
【符号の説明】
１・・・容器
２・・・液体製品
３・・・屈曲性壁
４・・・内部接続器具
５・・・外部接続器具
６・・・孔開け手段
７・・・孔
８・・・内部接続部材
８ａ、８ｂ・・・第１及び第２環状部材
９・・・開口
11・・・連結部材
13・・・外部接続部材
14・・・折れ曲がり部分
15・・・はまり込み部分
16・・・支持部材
【図１】
0004095178.tif 000002
【図２】
0004095178.tif 000003
【図３】
0004095178.tif 000004
【図４】
0004095178.tif 000005
【図５】
0004095178.tif 000006
【図６】
0004095178.tif 000007